(57)【要約】【課題】特にハウジングの孔部に挿入しての使用に適した、外周側鋼球循環路と内周側鋼球循環路とを含む無限鋼球循環路を複数条備え、該無限鋼球循環路に対面する領域に面状空間を備えた合成樹脂製の外筒部材、各無限鋼球循環路に収容配列された複数の鋼球、そして該面状空間に嵌め込まれた弧状断面を持つ合成樹脂製のプレート、但し、該合成樹脂製のプレートの内周側鋼球循環路の鋼球列に接する位置には、内周側鋼球循環路の鋼球列に沿う方向で細長い形状とされた金属片が備えられている、を含む直動軸受であって、上記の細長い金属片が、内周側鋼球循環路の鋼球列に沿う方向にて内周側が凸状となるように湾曲している直動軸受。【選択図】図５
2018181928.tif 000002
【特許請求の範囲】
【請求項１】
外周側鋼球循環路と内周側鋼球循環路とを含む無限鋼球循環路を複数条備え、該無限鋼球循環路に対面する領域に面状空間を備えた合成樹脂製の外筒部材、各無限鋼球循環路に収容配列された複数の鋼球、そして該面状空間に嵌め込まれた弧状断面を持つ合成樹脂製のプレート、但し、該合成樹脂製のプレートの内周側鋼球循環路の鋼球列に接する位置には、内周側鋼球循環路の鋼球列に沿う方向で細長い形状とされた金属片が備えられている、を含む直動軸受であって、上記の細長い金属片が、内周側鋼球循環路の鋼球列に沿う方向にて内周側が凸状となるように湾曲していることを特徴とする直動軸受。
【請求項２】
上記の細長い金属片が外筒の内周側に拡がる弧状の断面を持つ金属片である請求項１に記載の直動軸受。
【請求項３】
上記の細長い金属片の長さ（Ｌ）に対する湾曲部の頂部の高さ（Ｈ）の比率（Ｈ／Ｌ）で表される湾曲率が０．００１乃至０．０５の範囲にある請求項１もしくは２に記載の直動軸受。
【請求項４】
上記外筒部材の外周面に、長さ方向に沿って互いに平行に並ぶ、少なくとも三列の互いに同一の直径を持つ円周に沿って環状に形成されている突起が備えられている請求項１に記載の直動軸受。
【請求項５】
上記外筒部材の内周部の両端部に密着状態で、ただし、該両端部に接合固定されることなく、弾性部材から形成された環状外筒補強部材が装着されている請求項１に記載の直動軸受。
【請求項６】
孔部を備えたハウジング、そして該孔部内に挿入固定された請求項１乃至５の内のいずれかの項に記載の直動軸受を含むハウジング付き直動軸受。
【発明の詳細な説明】
【技術分野】
【０００１】
本発明は、直動軸受に関し、特にハウジングに挿入しての使用に適した合成樹脂製の外筒部材を備えた直動軸受に関する。さらに、本発明は、ハウジングに装着された直動軸受にも関する。
【背景技術】
【０００２】
従来より、ロッド（軸体）の長さ方向の円滑な往復運動を可能にして案内するリニア軸受とも呼ばれる直動軸受として、外筒、外筒の内側に装着された複数の無限鋼球循環路を備える筒状の鋼球保持器（リテーナ）、そしてリテーナの各無限鋼球循環路に収容された複数の鋼球（ボール）を含む構成の直動軸受が知られており、これまでに様々なサイズのものが様々な用途で多数使用されている。【０００３】
従来の直動軸受の多くは、上述のように、外筒と、その内側に装着される円筒状のリテーナとを含んでおり、そのリテーナにはボールが、リテーナの内周側と外周側のそれぞれに僅かに突出した状態で収容保持されている。直動軸受により案内されるロッドは、リテーナの内周側に挿入され、摺動可能に支持される。そして、リテーナに収容保持されているボールは、ロッドの長尺方向への摺動により、あるいは一体化した外筒とリテーナのロッドに沿った摺動により、リテーナの内側にて外筒の内周面に加圧状態で接触しながら回転する。従って、外筒は高い耐久性が必要であるため、外筒は金属材料から形成されるのが従来は一般的であった。【０００４】
しかしながら、近年、直動軸受については、高い耐久性と共に軽量化も求められるようになり、金属材料製の外筒に代えて、合成樹脂材料の成形により製造した合成樹脂製の外筒もまた用いられつつある。ただし、合成樹脂製の外筒では、無限鋼球循環路の外周側循環路に接する位置に当該循環路に収容されているボールにより外筒の当該位置の周囲の領域に向けて加わる圧力に対する強度（抵抗力）が不足するため、その位置の周囲の領域には、補強用として金属片をはめ込んだ構成とされることが一般的である。そして、そのような構成の直動軸受は、軽量で耐久性が高いと云う利点があるため、実際に使用されることが多くなっている。そして、このような構成の合成樹脂製の外筒を用いた直動軸受は、特に孔部を備えたハウジングに挿入固定された形態で利用されることが多い。【０００５】
特許文献１（特開平１１−３１１２４７号公報）には、外筒が収納されたハウジングとその外筒に挿入される軸とから成り、軸に対して外筒付きハウジングが直線摺動するように構成された軸受部材として、ハウジングが金属そして外筒が合成樹脂でそれぞれ形成され、外筒に金属製の調心プレートが付設された構成の軸受部材が、従来より知られている旨の記載がある。そして、特許文献１には、外筒が収納される合成樹脂製のハウジングとその外筒に挿入される軸とからなり、軸に対して外筒とハウジングとが一体となって直線摺動するように構成された軸受部材であって、外筒には負荷部と無負荷部とで形成されるボール無限循環路が形成され、このボール無限循環路には保持器によりボールが配設され、外筒に調心プレートが設けられ、そしてハウジングには、調心プレートに当接する位置に耐摩耗性部材が設けられている構成の軸受部材の発明が開示されている。ただし、特許文献１には、上記調心プレートが外筒の補強材としての機能を持つことの記載はなく、また、当該発明の外筒の形成材料に関する記載は見られない。【０００６】
特許文献２（特開２００１−１１６０４３号公報）には、機械部品などの孔部に嵌入する際に圧入力および変形量を低減することができ、嵌入を容易かつ確実に行うことができるボールブッシュとして、ロッドが挿入される円筒体の内周壁にロッドの外面が接する複数のボールが転動可能に配設され、円筒体の外周壁の両端部がテーパー状に形成されるとともに、円筒体の外周壁において、その両端部を除く全部または部分に凹部が形成されてなる直動軸受（ボールブッシュ）が開示されている。ただし、円筒体の内周壁に複数のボールを転動可能に保持する手段に関する記載は無い。【０００７】
特許文献３（特開平７−２６９５７０号公報）には、合成樹脂製の外筒と、無限鋼球循環路を備えたリテーナ（ボール保持器）とを含み、そのリテーナには金属製のボールがリテーナの内周側と外周側のそれぞれに僅かに突出した状態で収容保持されている直動軸受（ボールスプライン）が記載されている。なお、この外筒の無限鋼球循環路に対面する位置には、金属材料製のボール支承プレートが備えられる旨の記載もある。【０００８】
特許文献４（実開平６−２０９２２号公報）には、外筒とその内側に配設されるリテーナと、そのリテーナにより保持されるボール、そして外筒の外表面に遊動可能に嵌めこまれたボールを外側から支承するボール支承プレートを含む直動摺動用ベアリング（すなわち、直動軸受）であって、外筒の両端面にシールリングとこのシールリングを保持するためのサイドリングとが外筒に固着された状態で付設されていて、シールリングが外筒端面とサイドリングとの間において遊動可能に配置されている構成の直動軸受が開示されている。
【発明の概要】
【発明が解決しようとする課題】
【０００９】
上述のように、特許文献１には、外筒が合成樹脂で形成され、そして外筒に金属製の調心プレートが付設された構成の直動軸受をハウジングに収容して用いることが知られている旨の記載がある。また、特許文献１には、外筒の内周側に無限鋼球循環路が形成されたリテーナにロッドを摺動可能に保持するためのボールを収容することを示唆する記載がある。そして、特許文献２には、ハウジングの孔部に嵌入する際に圧入力および変形が少ない直動軸受として、外筒の円筒体の外周壁の両端部がテーパー状に形成されるとともに、円筒体の外周壁において、その両端部を除く全部または部分に凹部が形成されてなる直動軸受（ボールブッシュ）が開示されている。【００１０】
本発明の発明者は、これまでに説明したような従来から知られている直動軸受の構造を参考にして、ハウジングの孔部に挿入固定する態様での使用に特に適した、軽量でかつ製造が容易な直動軸受の開発を目的として研究を重ねた結果、外周側鋼球循環路と内周側鋼球循環路とを含む無限鋼球循環路を複数条備え、その無限鋼球循環路に対面する領域に面状空間を備えた合成樹脂製の外筒部材、各無限鋼球循環路に収容配列された複数の鋼球、そして上記面状空間に嵌め込まれた弧状断面を持つ合成樹脂製のプレート、但し、合成樹脂製のプレートの内周側鋼球循環路の鋼球列に接する位置には、内周側鋼球循環路の鋼球列に沿う方向にて細長い形状とされた金属片が備えられている、を含む新規な構成の直動軸受が、その目的を満たすことを見出した。なお、本明細書で云う「内周側鋼球循環路」とは、その循環路に収容される鋼球列が、直動軸受に挿入される軸体(ロッド）の表面に接触し、かつ合成樹脂製のプレートの金属片と接触する循環路を意味する。【００１１】
すなわち、上記の新規な構成の直動軸受は、従来の直動軸受で使用されていた外筒とリテーナとを一体の構造体（本明細書では、この一体の構造体を外筒部材と云う）として合成樹脂の成形により製造し、この外筒部材の外周部に金属片（もしくは金属プレート）を装着した構成を基本構成とした直動軸受である。【００１２】
本発明の発明者は、上記の新規な構成の直動軸受の実用性を確認するために、この直動軸受をハウジングの孔部に挿入固定した状態とし、その直動軸受の内周部にロッド（軸体）を装着してロッドの往復運動を繰り返し行うことにより、その直動軸受としての実用性能と耐久性を詳しく検討した。そして、その検討の結果として、上記の新規な構成の直動軸受は、ロッドの円滑な繰り返しの往復運動の支承具としては満足できる性能を示すものの、長期間あるいは長時間の繰り返しの往復運動を行わせると、ハウジングの孔部から抜け落ち易くなるというトラブルの発生が見られることがあることが判明した。【００１３】
本発明の発明者は、上記の新規な構成の直動軸受のハウジングの孔部からの抜け落ちというトラブルの発生の原因の究明のためにさらに研究を行った結果、上記のトラブルは、合成樹脂から成形した外筒部材、すなわち、外筒とリテーナとを一体とした合成樹脂製の成形体が、ロッドの直動軸受の内周部での繰り返しの往復運動による熱の発生により変形することが原因となって起きることが確認できた。
【課題を解決するための手段】
【００１４】
本発明の発明者は、上記の新規な構成の直動軸受のハウジングの孔部からの抜け落ち（脱落）というトラブルの発生の原因の確認結果に基づき、その解決を新たな目的として研究を続けた。そしてその研究の結果、上記の新規な構成の直動軸受において、上記の細長い金属片を、内周鋼球循環路の鋼球列に沿う方向で内周側に凸状を形成するように湾曲させることにより、上記のトラブルの発生が有効に抑制されることを見出し、本発明に到達した。【００１５】
従って、本発明は下記構成の直動軸受にある。【００１６】
外周側鋼球循環路と内周側鋼球循環路とを含む無限鋼球循環路を複数条備え、該無限鋼球循環路が対面する領域に面状空間を備えた合成樹脂製の外筒部材、各無限鋼球循環路に収容配列された複数の鋼球、そして該面状空間に嵌め込まれた弧状断面を持つ合成樹脂製のプレート、但し、該合成樹脂製のプレートの内周側鋼球循環路の鋼球列に接する位置には、内周側鋼球循環路の鋼球列に沿う方向で細長い形状とされた金属片が備えられている、を含む直動軸受であって、上記の細長い金属片が、内周側鋼球循環路の鋼球列に沿う方向にて内周側が凸状となるように湾曲していることを特徴とする直動軸受。【００１７】
上記構成の本発明の直動軸受は、孔部を備えたハウジングの孔部に挿入固定して使用する直動軸受として特に有用である。【００１８】
従って、本発明は、孔部を備えたハウジング及び該孔部に挿入固定された上記の直動軸受を含むハウジング付き直動軸受にもある。【００１９】
以下に、本発明の直動軸受の好ましい態様を記載する。
（１）細長い金属片が外筒の内周側に拡がる弧状の断面を持つ金属片である。
（２）細長い金属片の長さ（Ｌ）に対する湾曲部の頂部の高さ（Ｈ）の比率（Ｈ／Ｌ）で表される湾曲率が０．００１乃至０．０５の範囲にある。
（３）外筒部材の外周面に、長さ方向に沿って互いに平行に並ぶ、少なくとも三列の互いに同一の直径を持つ円周に沿って環状に形成されている突起を備える。
（４）上記外筒部材の内周部の両端部に密着状態で、ただし、該両端部に接合固定されることなく、弾性部材から形成された環状外筒補強部材が装着されている。【００２０】
なお、上記（３）の「外筒部材の外周面に、長さ方向に沿って互いに平行に並ぶ、少なくとも三列の互いに同一の直径を持つ円周に沿って環状に形成されている突起を備える」との構成は、前記の「内周側鋼球循環路の鋼球列に沿う方向にて内周側が凸状となるように湾曲している細長い金属片の装着」との態様と併用しなくとも、本発明の効果である「直動軸受のハウジングの孔部からの脱落（抜け落ち）のトラブルの発生の防止」のために有効である。【００２１】
また、上記（４）の「上記外筒部材の内周部の両端部に密着状態で、ただし、該両端部に接合固定されることなく、弾性部材から形成された環状外筒補強部材が装着されている」との構成も、前記の「内周側鋼球循環路の鋼球列に沿う方向にて内周側が凸状となるように湾曲している細長い金属片の装着」との態様と併用しなくとも、本発明の効果である「直動軸受のハウジングの孔部からの脱落（抜け落ち）のトラブルの発生の防止」のために有効である。
【発明の効果】
【００２２】
本発明の直動軸受は、外筒とリテーナとを共に合成樹脂を材料として、かつ一体物とした外筒部材を主構成部材として用いているため、製造が容易で、かつ軽量であり、またハウジングの孔部への円滑な挿入固定が容易となる。また、外筒部材に装着される金属片付き合成樹脂プレートの細長い金属片の両端部及び／又はその両端部に接する合成樹脂プレートの部位が、僅かではあるが外筒部材の外周部を越えて突き出るため、直動軸受を孔部を有するハウジングの孔部に挿入して固定し、軸体（ロット）を直動軸受に挿入した場合、突き出た金属片の端部あるいはその端部に接している合成樹脂製プレートの部位がハウジングの孔部の内面に接触するようになり、ハウジングの孔部内での直動軸受の固定の安定性が向上する。従って、本発明の直動軸受は、ハウジングの孔部に挿入固定した形態にて、そのリテーナの内周部にロッドを挿入して長期間あるいは長時間にわたって摺動させても、直動軸受のハウジングの孔部からの脱落（抜け落ち）のトラブルが発生しにくいとの利点が生じる。
また、本発明の直動軸受を用いることにより、直動軸受に挿入された軸体(ロッド）の安定な(即ち、「ぶれ」や「がたつき」の少ない）直動が実現する。
【図面の簡単な説明】
【００２３】
【図１】本発明に従う直動軸受の構成の例を示す斜視図である。
【図２】図１の直動軸受を、その外筒部材に装着された金属片付き合成樹脂プレートの一枚を外した状態で示す斜視図である。
【図３】図１の直動軸受の断面図（軸方向に沿って切断した断面図）である。
【図４】図１の直動軸受を構成する外筒部材の斜視図である。
【図５】本発明の直動軸受で用いる金属片付き合成樹脂プレートに備えられている細長い金属片の湾曲状態を誇張した形で示した図である。
【図６】本発明の直動軸受で用いる金属片付き合成樹脂プレートに備えられている細長い金属片の斜視図、平面図、側面図、そして正面図である。
【図７】図１の直動軸受の正面図（外筒の表面状態を拡大して示す正面図）である。
【図８】それぞれ、図１の直動軸受の外筒の正面図（ａ）、側面図（左右同形）（ｂ）、平面図（ｃ）、背面図（ｄ）、そして底面図（ｅ）である。
【図９】図１の直動軸受の構成を示す分解図である。
【図１０】図９に示した直動軸受の環状外筒補強部材の形状を示す正面図、側面図、そして部分断面図である。
【図１１】図９に示した直動軸受の環状シール部材の形状を示す正面図、側面図、そして部分断面図である。
【図１２】本発明の直動軸受がハウジングの孔部に挿入固定された状態での構成の一例を示す斜視図である。
【図１３】図１２の直動軸受がハウジングの孔部に挿入固定された状態での構成の断面図である。ただし、ハウジング内の直動軸受は、外筒の挿入固定状態を明らかにするため、外筒の側面図として表示してある。
【発明を実施するための形態】
【００２４】
次に、本発明の直動軸受及びハウジング付き直動軸受を添付図面を参照しながら詳しく説明する。
【００２５】
図１は、本発明に従う直動軸受１の構成の例を示す斜視図であり、図２は、図１に示した直動軸受１の外筒部材２に装着されている金属片付き合成樹脂プレート３の一枚を外した状態で示す斜視図であり、図３は、図１の直動軸受１の断面図（軸方向に沿って切断した断面を示す断面図）である。そして、図４は、図１の直動軸受を構成する枠体として機能する外筒部材２の斜視図である。
【００２６】
図１乃至図４に示されているように、本発明の直動軸受１は、外周側鋼球循環路と内周側鋼球循環路とを含む無限鋼球循環路４を複数条備え、無限鋼球循環路４のそれぞれに対面する各領域に面状空間５を持つ合成樹脂製の外筒部材２を備える。すなわち、この外筒部材２は、従来の直動軸受の構成部材として一般的な外筒とリテーナとを兼ねるように、合成樹脂の成形、好ましくは一体成形、により製造した構造体である。
【００２７】
各々の無限鋼球循環路４には複数個の鋼球（ボール）６が充填配置されている。外筒部材２に設けられている各面状空間５には、金属片付き合成樹脂プレート３が装着されている。金属片付き合成樹脂プレート３の金属片３ａは、内周側鋼球循環路の鋼球（ボール）６が、直動軸受１に挿入された軸体（ロッド、ただし図示なし）に加圧状態で接触しながら回転移動する部位を覆う領域に装着されている。外筒部材２及び金属片付き合成樹脂プレート３の合成樹脂プレート部の形成には、従来より合成樹脂製の直動軸受の外筒や筒状鋼球保持器の材料として利用されているポリアセタール樹脂などエンジニアリングプラスチックと呼ばれる高い機械的強度を持つ合成樹脂が利用される。
【００２８】
本発明の直動軸受は、前述のように、外周側鋼球循環路と内周側鋼球循環路とを含む無限鋼球循環路を複数条備え、該無限鋼球循環路に対面する領域に面状空間を備えた合成樹脂製の外筒部材、各無限鋼球循環路に収容配列された複数の鋼球、そして該面状空間に嵌め込まれた弧状断面を持つ合成樹脂製のプレートを含む直動軸受であって、該合成樹脂製のプレートの内周側鋼球循環路の鋼球列に接する位置に、内周側鋼球循環路の鋼球列に沿う方向で細長い形状とされた金属片３ａが備えられていて、その細長い金属片３ａが、内周側鋼球循環路の鋼球列に沿う方向で内周側に凸状を形成するように湾曲していることを特徴とする。
【００２９】
図５は、本発明の直動軸受における主たる特徴点である、内周側鋼球循環路の鋼球列に沿う方向にて内周側が凸状となるように湾曲している細長い金属片３ａの湾曲の状態を誇張的に示す概念図である。図５において、細長い金属片３ａの湾曲の大きさ（細長い金属片３ａの長さ（Ｌ）に対する湾曲部の頂部の高さ（Ｈ）の比率（Ｈ／Ｌ）で表される湾曲率）は、０．００１乃至０．０５の範囲にあることが好ましく、特に０．００１乃至０．０１の範囲にあることが好ましい。なお、前述のように、孔部を有するハウジングの孔部に本発明の直動軸受を挿入し、且つ、軸体（ロッド）を該直動軸受に挿入した際に、内周側に湾曲している金属片３ａが、その湾曲頂部にて内周側鋼球循環路の鋼球列に接触し、その両端部、及び／又はその両端部に接する合成樹脂製プレートの部位が、僅かではあるが外筒部材の外周部を越えて外側に突き出るため、その突き出た金属片３ａの端部、及び／又はそれらの端部に接している合成樹脂製プレートの部位がハウジングの孔部の内面に接触するようになり、ハウジングの孔部内での直動軸受の固定の安定性が向上する。また、金属片３ａが湾曲しているため軸体（ロッド）を挿入した際に、湾曲した金属片にばね作用が生じ、金属片と接触している鋼球を通じて軸体に予圧を与えることになる。このため、直動軸受に挿入した軸体（ロッド）を保持する作用が発生し、軸体（ロッド）の安定な（すなわち、「ぶれ」や「がたつき」の少ない）直動を実現する。
【００３０】
図６は、本発明の直動軸受で用いる金属片付き合成樹脂プレートに備えられている細長い金属片３ａの斜視図（左上）、平面図（右上）、側面図（左下）、そして正面図（右下）である。この金属片３ａは、前述のように、内周側鋼球循環路の鋼球列に沿う方向で内周側に凸状を形成するように湾曲している（図５参照）が、その湾曲の程度は非常に小さいため、目視では確認しがたいかも知れない。なお、金属片３ａは、斜視図と側面図に示したように、細長い金属片が外筒の内周側（鋼球（ボール）に接する側）に拡がる弧状の幅方向の断面を持つことが好ましい。
【００３１】
本発明の直動軸受は、図７に見られるように、合成樹脂製の外筒の外周面に外筒の長さ方向に沿って互いに平行に形成された少なくとも三列の同一の直径を持つ環状突起７が形成されていることが好ましい。同一の直径を持つ環状突起の直径とは、外筒の中心軸を対称軸として計測される、環状突起の頂部間の距離を意味する。なお、同一の直径とは実質的に同一とみることができる直径であって、例えば、１０％以内の差であれば、同一とみなすことができる。また、少なくとも三列の環状突起のそれぞれは、少なくとも外筒の外周面の両端部そして中央部のそれぞれに形成されていることが好ましい。あるいは、環状突起が、少なくとも外筒の外周面の両端部そしてそれらの両端部の間に略均一の間隔を介して、四列以上形成されていることも好ましい。そして、各環状突起の頂部の断面が円弧の形状にあることが好ましい。環状突起７は、外筒部材２の外周面のみならず、図７に示すように、金属片付きプレートの樹脂部分の外周面にも設けられていることが好ましい。
【００３２】
図１に示した本発明の直動軸受の正面図（ａ）、側面図（左右同形）（ｂ）、平面図（ｃ）、背面図（ｄ）、そして底面図（ｅ）を図８に示す。
【００３３】
本発明の直動軸受の外筒部材の内周部の両端部には、図３と図９に示すように、直動軸受内部へのゴミや粉塵の侵入を防ぐための環状シール部材８が装着されていることが好ましい。この環状シール部材８は、ゴム材料あるいは合成樹脂材料により形成されることが好ましい。
【００３４】
さらに、図３と図９に示すように、本発明の直動軸受の外筒部材２の内周部の両端部には、弾性材料から形成される環状外筒補強部材９が装着されていることが好ましい。環状外筒補強部材９は、その外周面が外筒部材２の内周面に密着状態となるように、かつ外筒部材２を外周側に押し拡げるような緊張状態にて外筒部材２の内面側の両端部に装着される。ただし、環状外筒補強部材９は外筒部材２に接合固定はされていない。環状外筒補強部材９を外筒２に接合固定すると、環状外筒補強部材９による外筒部材２の外周側への押し拡げ効果が期待できないためである。そして、環状外筒補強部材９は、図３や図９に示されているように、環状シール材料の外側に装着することが好ましい。
【００３５】
図１０と図１１はそれぞれ、環状外筒補強部材９と環状シール部材８の形状を正面図（左上図）、側面図（右上図）、そして部分断面図（左下図）として示す。
【００３６】
環状外筒補強部材９は、鋼鉄、ステンレススチール、真鍮などの金属材料から形成されていることが好ましいが、耐熱性が、外筒を構成する合成樹脂よりも高いことを条件として、合成樹脂製であってもよい。この場合の耐熱性とは、熱軟化温度と言い換えることもできる。そのような合成樹脂材料の例としては、外筒部材をポリアセタール樹脂で構成した場合を想定すると、ポリエーテルエーテルケトン樹脂（一般に、ＰＥＥＫ材と呼ばれている）を挙げることができる。あるいは、ＦＲＰ（繊維強化プラスチック）を用いることもできる。環状外筒補強部材９は、全周に亙って連続する環状材料であることが好ましいが、環状外筒補強部材９の外筒２の内周面への装着の容易さを考慮して、一部を不連続とした環状部材（いわゆるＣリング）の形状とすることもできる。
【００３７】
図１２と図１３に、本発明の直動軸受が、内部で貫通する孔部１０を有するハウジング１１の孔部１０に装着固定された状態を示す。ただし、ハウジング内の直動軸受は、図１３では、外筒の挿入固定状態を明らかするために、外筒の側面図として表示してある。
【００３８】
なお、本発明の直動軸受は前述の金属片付き合成樹脂プレートの金属片の所定の湾曲構造に加えて、上記の外筒部材の外周面に複数の環状突起が形成された構成を持つと、それらの環状突起の頂部とハウジングの孔部の内周面との摩擦力による直動軸受の脱落防止（抜け止め）作用が向上する。そして、さらに上記の環状外筒補強部材を付設した場合には、その環状外筒補強部材が外筒部材に与える外周側への押し拡げ力により、さらに直動軸受の脱落防止（抜け止め）効果が向上するという追加的な効果も発生する。
【図１】
2018181928.tif 000003
【図２】
2018181928.tif 000004
【図３】
2018181928.tif 000005
【図４】
2018181928.tif 000006
【図５】
2018181928.tif 000007
【図６】
2018181928.tif 000008
【図７】
2018181928.tif 000009
【図８】
2018181928.tif 000010
【図９】
2018181928.tif 000011
【図１０】
2018181928.tif 000012
【図１１】
2018181928.tif 000013
【図１２】
2018181928.tif 000014
【図１３】
2018181928.tif 000015
【国際調査報告】
2018181928.tif 000016
2018181928.tif 000017
2018181928.tif 000018
2018181928.tif 000019